(57)【特許請求の範囲】
【請求項１】
第１の受信可能範囲を有する第１の無線通信プロトコルに従う第１の無線通信リンクを介して第１の無線通信装置と第２の無線通信装置との間で、１つ以上のセッションキーを使用してセッションを確立する段階であって、前記第１の無線通信リンクが近距離無線通信（ＮＦＣ）リンクを含む、セッションを確立する段階と、
第２の無線通信装置から、前記第１の無線通信装置から前記第２の無線通信装置へと転送されるべき要求コンテントを示す要求を、前記第１の無線通信装置において前記ＮＦＣリンクを介して受信する段階と、
前記ＮＦＣリンクを介して前記第２の無線通信装置から、前記要求コンテントに関する金銭的取引を実行するのに十分な支払いデータを受信する段階と、
前記ＮＦＣリンクを介して前記第１の無線通信装置から前記第２の無線通信装置に、前記第１の受信可能範囲より大きい第２の受信可能範囲を有する第２の無線通信プロトコルに従う第２の無線通信リンクを規定する１つ以上のリンク関連パラメータを含むセッション引継ぎメッセージを送信する段階と、
前記１つ以上のセッションキーおよび前記１つ以上のリンク関連パラメータを使用して、前記第１の無線通信装置と前記第２の無線通信装置との間の前記セッションを、前記ＮＦＣリンクから前記第２の無線通信リンクへと引き継ぐ段階と、
前記要求コンテントを前記第１の無線通信装置から前記第２の無線通信装置に、前記第２の無線通信リンクを介して送信する段階と、
前記第２の無線通信リンクを介した前記要求コンテントの前記第２の無線通信装置への転送が成功したことが決定したことに応じて前記金銭的取引を許可する段階と、
を備える方法。
【請求項２】
前記第２の無線通信リンクを介した前記要求コンテントの前記第２の無線通信装置への提供が成功しなかった場合に前記金銭的取引を取りやめる段階を備える、請求項１に記載の方法。
【請求項３】
前記第１の無線通信装置において、前記ＮＦＣリンクを介して前記第２の無線通信装置から１つ以上の装置構成パラメータを受信する段階と
前記装置構成パラメータに基づいて前記リンク関連パラメータを決定する段階と
を備える、請求項１または２に記載の方法。
【請求項４】
前記装置構成パラメータは、前記第２の無線通信装置の前記第２の無線通信プロトコルに従って通信する機能を示す通信構成パラメータ、および前記第２の無線通信装置の前記要求コンテントを処理する機能を示す処理構成パラメータの少なくとも一方を有する、請求項３に記載の方法。
【請求項５】
前記処理構成パラメータは、前記第２の無線通信装置のバッファーリング機能、書き込み速度機能、表示機能、空きメモリ領域、および電力レベルの少なくとも１つに関する、請求項４に記載の方法。
【請求項６】
送信するべき前記要求コンテントの版を、前記装置構成パラメータに基づいて決定する段階を備える、請求項３から５のいずれか１項に記載の方法。
【請求項７】
前記第２の無線通信リンクを介して前記要求コンテントを送信している間の少なくとも一部の期間において、別の装置から別のＮＦＣリンクを介して要求を受信する段階を備える、請求項１から６のいずれか１項に記載の方法。
【請求項８】
前記第１の無線通信装置において、複数の無線通信チャネルの干渉レベルを監視する段階と、
前記干渉レベルに基づいて、前記複数の無線通信チャネルから、前記第２の無線通信リンク用の無線通信チャネルを選択する段階と
を備える、請求項１から７のいずれか１項に記載の方法。
【請求項９】
前記リンク関連パラメータは、前記第２の無線通信リンクに関する周波数チャネルパラメータ、変調種類パラメータ、媒体アクセス制御パラメータ、セキュリティパラメータ、およびビーム形成パラメータのうち少なくとも１つを含む、請求項１から８のいずれか１項に記載の方法。
【請求項１０】
前記要求を受信する段階は、前記第２の無線通信装置を前記第１の無線通信装置にかざすことを介して前記要求を受信する段階を有し、
前記方法は、前記かざすことに応じて前記支払いデータを受信する段階と前記セッション引継ぎメッセージを送信する段階とを実行する段階を備える、請求項１から９のいずれか１項に記載の方法。
【請求項１１】
第１の受信可能範囲を有する第１の無線通信プロトコルに従う第１の無線通信リンクを介して１つ以上のセッションキーを使用して無線通信装置とのセッションを確立する第１の無線通信モジュールであって、当該第１の無線通信リンクは近距離無線通信（ＮＦＣ）リンクを含み、当該第１の無線通信モジュールは前記無線通信装置に転送されるべき要求コンテントを示す要求を前記ＮＦＣリンクを介して当該無線通信装置から受信し、前記ＮＦＣリンクを介して前記無線通信装置から前記要求コンテントに関する金銭的取引を実行するのに十分な支払いデータを受信し、前記ＮＦＣリンクを介して前記無線通信装置に、前記第１の受信可能範囲より大きい第２の受信可能範囲を有する第２の無線通信プロトコルに従う第２の無線通信リンクを規定する１つ以上のリンク関連パラメータを含むセッション引継ぎメッセージを送信する、第１の無線通信モジュールと、
前記１つ以上のセッションキーおよび前記１つ以上の関連パラメータを使用して前記無線通信装置との間の前記セッションを前記第２の無線通信リンクへと引き継ぎ、前記要求コンテントを前記第２の無線通信リンクを介して前記無線通信装置に送信する第２の無線通信モジュールと
を備え、
前記第２の無線通信リンクを介した前記要求コンテントの前記無線通信装置への転送が成功したことが決定したことに応じて、前記金銭的取引を許可するように構成される、装置。
【請求項１２】
前記第１の無線通信モジュールは、前記無線通信装置をかざすことを介して前記要求を受信し、
前記装置は、前記かざすことに応じて前記支払いデータを受信することおよび前記セッション引継ぎメッセージを送信することを実行する、請求項１１に記載の装置。
【請求項１３】
前記第１の無線通信モジュールは、前記第１の無線通信リンクを介して前記無線通信装置から１つ以上の装置構成パラメータを受信し、前記装置構成パラメータに基づいて前記リンク関連パラメータを決定する、請求項１１または１２に記載の装置。
【請求項１４】
前記装置構成パラメータは、前記無線通信装置の前記第２の無線通信プロトコルに従って通信する機能を示す通信構成パラメータ、および前記無線通信装置の前記要求コンテントを処理する機能を示す処理構成パラメータの少なくとも一方を含む、請求項１３に記載の装置。
【請求項１５】
前記第１の無線通信モジュールは、前記要求コンテントを前記第２の無線通信リンクを介して送信している間の少なくとも一部の期間において、別の装置から別のＮＦＣリンクを介して要求を受信する、請求項１１から１４のいずれか１項に記載の装置。
【請求項１６】
前記リンク関連パラメータは、前記第２の無線通信リンクに関する周波数チャネルパラメータ、変調種類パラメータ、媒体アクセス制御パラメータ、セキュリティパラメータ、およびビーム形成パラメータのうち少なくとも１つを含む、請求項１１から１５のいずれか１項に記載の装置。
【請求項１７】
前記第２の無線通信モジュールは、前記第２の無線通信リンクを介して安全に通信するために前記１つ以上のセッションキーを使用する、請求項１１から１６のいずれか１項に記載の装置。
【請求項１８】
第１の受信可能範囲を有する第１の無線通信プロトコルに従う第１の無線通信リンクを介して１以上のセッションキーを使用して無線通信装置とのセッションを確立する第１の無線通信モジュールであって、当該第１の無線通信リンクは近距離無線通信（ＮＦＣ）リンクを含み、当該第１の無線通信モジュールは当該無線通信装置に当該無線通信装置から転送されるべき要求コンテントを示す要求表示を前記ＮＦＣリンクを介して供給し、前記ＮＦＣリンクを介して前記無線通信装置へ前記要求コンテントに関する金銭的取引を実行するのに十分な支払いデータを送信し、前記ＮＦＣリンクを介して前記無線通信装置から、前記第１の受信可能範囲より大きい第２の受信可能範囲を有する第２の無線通信プロトコルに従う第２の無線通信リンクを規定する１つ以上のリンク関連パラメータを含むセッション引継ぎメッセージを受信する、第１の無線通信モジュールと、
前記１つ以上のセッションキーおよび前記１つ以上のリンク関連パラメータを使用して前記無線通信装置との間の前記セッションを前記第２の無線通信リンクへと引き継ぎ、前記第２の無線通信リンクを介して前記無線通信装置から前記要求コンテントを受信し、前記第２の無線通信リンクを介して安全に通信するために前記１つ以上のセッションキーを使用する第２の無線通信モジュールと
を備える装置。
【請求項１９】
前記第１の無線通信モジュールは、前記ＮＦＣリンクを介して前記無線通信装置に、１つ以上の装置構成パラメータを送信し、前記リンク関連パラメータは、前記装置構成パラメータに基づく、請求項１８に記載の装置。
【請求項２０】
前記第１の無線通信モジュールは、前記装置を前記無線通信装置にかざすことを介して前記要求表示を供給する、請求項１８または１９に記載の装置。
【発明の詳細な説明】
【背景技術】
【０００１】
無線通信装置は、たとえば１０センチメートル以下の比較的短距離での無線通信に近距離無線通信（ＮＦＣ）を使用することがある。
【０００２】
携帯電話等のモバイル装置は、たとえば、モバイル発券、モバイル支払い等を含む多様な用途にＮＦＣリンクを使用する。
【図面の簡単な説明】
【０００３】
図示を簡略かつ明確にするべく、図に示される要素は必ずしも一定の縮尺で描かれていない。たとえば、図示を明確にするべく、いくつかの要素の寸法は、その他の要素に比較して誇張されている。さらに、参照符号を図面間で繰り返し使用して、対応物もしくは類似物を示す場合がある。図を以下に挙げる。
【図１】いくつかの例証的な実施形態に係るシステムの概略ブロック図である。
【図２】いくつかの例証的な実施形態に係る無線でコンテントを提供する方法の概略的フローチャート図である。
【発明を実施するための形態】
【０００４】
以下の詳細な記載では、いくつかの実施形態を完全に理解できるようにするべく、多数の特定的詳細事項を記載する。しかし、これらの特定的詳細事項なしでもいくつかの実施形態を実施し得ることは、当業者には理解されるであろう。その他の例では、記載が不明瞭となるのを防ぐべく、周知の方法、手順、要素、ユニット及び回路を詳細には記載しなかった。
【０００５】
たとえば、「処理する」、「計算する」、「算出する」、「判定する」、「確立する」、「分析する」、「チェックする」等の文言を使用する本明細書での議論は、物理的（たとえば、電子的）量として表されるデータを、自身のレジスタおよび／またはメモリ内で操作し、および／または、自身のレジスタおよび／もしくはメモリ、または動作および／または処理を実行する命令を格納するその他の情報記憶媒体内で同じく物理的量として表されるその他のデータに変換するコンピュータ、コンピュータプラットフォーム、コンピュータシステム、もしくはその他の電子的コンピュータ装置の動作および／または処理を表す。
【０００６】
本明細書で用いられる「複数（ｐｌｕｒａｌｉｔｙ）」および「複数（ａ  ｐｌｕｒａｌｉｔｙ）」という用語は、たとえば、「多数」もしくは「２つ以上」を含む。たとえば、「複数の物品」は、２つ以上の物品を含む。
【０００７】
いくつかの実施形態は、たとえば、パーソナルコンピュータ（ＰＣ）、デスクトップコンピュータ、モバイルコンピュータ、ラップトップコンピュータ、ノートブックコンピュータ、タブレットコンピュータ、ネットブック、サーバコンピュータ、ハンドヘルドコンピュータ、ハンドヘルド装置、パーソナルデジタルアシスタント（ＰＤＡ）装置、ハンドヘルドＰＤＡ装置、オンボード装置、オフボード装置、電子商取引（ｅ−コマース）システム、オンラインショップ（ｅ−ストア）、電子キオスク（ｅ−キオスク）、電子商品（ｅ−グッズ）および／または電子コンテント（ｅ−コンテント）を提供可能な装置および／またはシステム、近距離通信無線（ＮＦＣ）装置および／またはシステム、ハイブリッド装置、車載装置、非車載装置、移動体もしくは携帯型装置、コンシューマー装置、非移動体もしくは非携帯型装置、無線通信局、無線通信装置、無線アクセスポイント（ＡＰ）、有線もしくは無線ルーター、有線もしくは無線モデム、ビデオ装置、オーディオ装置、オーディオ・ビデオ（Ａ／Ｖ）装置、セットトップボックス（ＳＴＢ）、ブルーレイディスク（ＢＤ）プレーヤー、ＢＤレコーダー、デジタルビデオディスク（ＤＶＤ）プレーヤー、高解像度（ＨＤ）ＤＶＤプレーヤー、ＤＶＤレコーダー、ＨＤ  ＤＶＤレコーダー、パーソナルビデオレコーダー（ＰＶＲ）、ブロードキャストＨＤ受信機、ビデオ源、音源、ビデオ受信装置（ｖｉｄｅｏ  ｓｉｎｋ）、オーディオ受信装置（ａｕｄｉｏ  ｓｉｎｋ）、ステレオチューナー、ラジオ受信機、フラットパネルディスプレイ、パーソナルメディアプレーヤー（ＰＭＰ）、デジタルビデオカメラ（ＤＶＣ）、デジタルオーディオプレーヤー、スピーカー、オーディオ受信機、オーディオ増幅器、ゲーム装置、データ源、データ受信装置（ｄａｔａ  ｓｉｎｋ）、デジタルスチールカメラ（ＤＳＣ）、有線ネットワークもしくは無線ネットワーク、無線エリアネットワーク、無線ビデオエリアネットワーク（ＷＶＡＮ）、ローカルエリアネットワーク（ＬＡＮ）、無線ＬＡＮ（ＷＬＡＮ）、無線メトロポリタンエリアネットワーク（ＷＭＡＮ）通信システム、パーソナルエリアネットワーク（ＰＡＮ）、無線ＰＡＮ（ＷＰＡＮ）、上記ネットワークの一部であるユニットおよびスラッシュまたは装置、一方向もしくは双方向ラジオ通信システム、携帯ラジオ−電話通信システム、携帯電話、無線電話、パーソナルコミュニケーションシステム（ＰＣＳ）装置、無線通信装置を組み込んだＰＤＡ装置、移動体もしくは携帯型全地球測位システム（ＧＰＳ）装置、ＧＰＳ受信機もしくは送信機またはチップを組み込んだ装置、ＲＦＩＤ要素もしくはチップを組み込んだ装置、多入力多出力（ＭＩＭＯ）送受信機もしくは装置、１以上の内部アンテナおよび／もしくは外部アンテナを有する装置、デジタルビデオブロードキャスト（ＤＶＢ）装置もしくはシステム、マルチスタンダードラジオ装置もしくはシステム、有線もしくは無線ハンドヘルド装置（たとえば、ブラックベリー、パームトレオ）、無線アプリケーションプロトコル（ＷＡＰ）装置等の多様な装置およびシステムと連動させて用いてよい。
【０００８】
いくつかの実施形態は、たとえば、無線周波数（ＲＦ）、赤外線（ＩＲ）、符号分割多重アクセス（ＣＤＭＡ）、広帯域ＣＤＭＡ（ＷＣＤＭＡ）、ＣＤＭＡ２０００、単一キャリアＣＤＭＡ、マルチキャリアＣＤＭＡ、マルチキャリア変調（ＭＤＭ）、離散マルチトーン（ＤＭＴ）、ブルートゥース（登録商標）、全地球測位システム（ＧＰＳ）、ＮＦＣ、ＷｉＦｉ、無線ギガビット（ＷｉＧｉｇ）、Ｗｉ−Ｍａｘ、ＺｉｇＢｅｅ（登録商標）、超広帯域（ＵＷＢ）、グローバル・システム・フォー・モバイル・コミュニケーション（ＧＳＭ）、２Ｇ、２．５Ｇ、３Ｇ、３．５Ｇ、ＧＳＭエボリューション用エンハンスト・データ・レート（ＥＤＧＥ）等の１以上の種類の無線通信シグナルおよび／またはシステムと連動させて用いてよい。
【０００９】
本明細書で使用される「無線装置」という用語は、たとえば、無線通信可能な装置、無線通信可能な通信装置、無線通信可能な通信局、無線通信可能な携帯型もしくは非携帯型装置等を含む。いつくかの例証的な実施形態では、無線装置は、コンピュータに集積された周辺装置であってよく、もしくはコンピュータに集積された周辺装置を含んでよく、またはコンピュータに取り付けられた周辺装置であってよく、もしくはコンピュータに取り付けられた周辺装置を含んでよい。いくつかの例証的な実施形態では、「無線装置」という用語は、無線サービスを提供するべく用いられる場合がある。
【００１０】
いくつかの例証的な実施形態にかかるシステム１００のブロック図を概略的に示す図１を参照する。
【００１１】
いくつかの例証的な実施形態では、システム１００は、たとえば、以下に記載するように、少なくとも第１および第２の無線通信プロトコルに基づく少なくとも第１および第２の無線通信リンク、たとえば、第１の無線通信プロトコルに基づく無線通信リンク１１４および第２の無線通信プロトコルに基づく無線通信リンク１１６を介して無線信号を通信可能な１以上の装置、たとえば装置１０２および１０４を含む。
【００１２】
たとえば、装置１０２は、第１の無線通信プロトコルに従い、１以上のアンテナ１０６を通じてリンク１１４を介して通信可能な無線通信モジュール１１８と、第２の無線通信プロトコルに従い、１以上のアンテナ１０８を通じてリンク１１６を介して通信可能な無線通信モジュール１２０とを含んでよい。装置１０４は、第１の無線通信プロトコルに従い、１以上のアンテナ１１０を通じてリンク１１４を介して通信可能な無線通信モジュール１２２と、第２の無線通信プロトコルに従い、１以上のアンテナ１１２を通じてリンク１１６を介して通信可能な無線通信モジュール１２４とを含んでよい。アンテナ１０６、１０８、１１０、および／または１１２は、無線通信信号、ブロック、フレーム、送信ストリーム、パケット、メッセージ、および／またはデータを送信および／または受信するのに適したいかなる種類のアンテナであってもよい。アンテナ１０６、１０８、１１０、および／または１１２として使用し得るアンテナの種類は、内部アンテナ、ダイポールアンテナ、全方向性アンテナ、モノポールアンテナ、エンドフェッドアンテナ、円偏光アンテナ、マイクロストリップアンテナ、ダイバーシティアンテナ、位相アレイアンテナ等が挙げられるが、これらに限定されない。いくつかの実施形態では、アンテナ１０６、１０８、１１０、および／または１１２は、別々の送信および受信アンテナ要素を使用することによって送信および受信機能を実行してよい。いくつかの実施形態では、アンテナ１０６、１０８、１１０、および／または１１２は、共通の、および／または統合型の送信／受信要素を使用することによって送信および受信機能を実行してよい。
【００１３】
いくつかの例証的な実施形態では、第１の無線通信プロトコルは第１の受信可能範囲を有し、第２の無線通信プロトコルは第１の受信可能範囲より広い第２の受信可能範囲を有してよい。
【００１４】
いくつかの例証的な実施形態では、第１の無線通信プロトコルは、第１の送信速度を有し、第２の無線通信プロトコル（「高速無線プロトコル」とも呼ばれる）は第１の送信速度より速い第２の送信速度を有してよい。
【００１５】
たとえば、第１の無線通信プロトコルは、近距離無線通信（ＮＦＣ）プロトコルを含み、リンク１１４は、ＮＦＣリンクを含んでよい。第２の無線通信プロトコルは、ＷｉＦｉプロトコル、ＷｉＧｉｇプロトコル、ミリメートル波（ｍｍｗａｖｅ）プロトコル等を含み、リンク１１６は、ＷｉＧｉｇリンク、ｍｍｗａｖｅリンク等を含んでよい。
【００１６】
ＮＦＣプロトコルは、ＩＳＯ／ＩＥＣ１４４４３のパート１〜４：ＩＤカード−非接触集積回路カード（１９９９）、ＩＳＯ／ＩＥＣ１８０９２：情報技術――遠隔通信およびシステム間の情報交換――近距離無線通信――インターフェースおよびプロトコル（ＮＦＣＩＰ−１）、ＳＯ／ＩＥＣ２１４８１：２００５：情報技術――遠隔通信およびシステム間の情報交換――近距離無線通信インターフェースおよびプロトコル−２（ＮＦＣＩＰ−２）、および／または、ＮＦＣフォーラムデータ交換フォーマット（ＮＤＥＦ）技術仕様１．０版（２００６年７月２４日）（「ＮＦＣ仕様」）、および／またはその将来版、および／またはその派生版に従う通信プロトコルを含んでよい。
【００１７】
ＷｉＦｉプロトコルは、ＩＥＥＥ８０２．１１仕様（ＩＥＥＥ８０２．１１−２００７、ＩＥＥＥ情報技術標準−遠隔通信およびシステム間の情報交換−ローカルおよびメトロポリタンエリアネットワーク−固有の要件、パート１１：無線ＬＡＮ媒体アクセス制御（ＭＡＣ）および物理層（ＰＨＹ）の仕様）、および／またはその将来版、および／またはその派生版に従う通信プロトコルを含んでよい。
【００１８】
ＷｉＧｉｇプロトコルは、ＩＥＥＥＰ８０２．１１ａｄ／Ｄ１．０情報技術のドラフト標準−遠隔通信およびシステム間の情報交換−ローカルおよびメトロポリタンエリアネットワーク−固有の要件−パート１１：無線ＬＡＮ媒体アクセス制御（ＭＡＣ）および（ＰＨＹ物理層）の仕様−修正５：６０ＧＨｚ周波数帯での超高スループットの強化、および／または無線ギガビットアライアンスＷｉＧｉ  ＭａｃおよびＰＨＹの仕様１．０版、２０１０年４月（「ＷｉＧｉｇ仕様」）、および／またはその将来版、および／またはその派生版に従う通信プロトコルを含んでよい。
【００１９】
たとえば、リンク１１４は、２０センチメートル（ｃｍ）以下、たとえば４ｃｍ以下の受信可能範囲を有し、および／または約１３．５６メガヘルツ（ＭＨｚ）の周波数で、および／または毎秒１０６キロビット（ｋｂｉｔ／ｓ）から８４８ｋｂｉｔ／ｓのレートで動作してよい。
【００２０】
たとえば、リンク１１６は、少なくとも１メートル、たとえば、少なくとも５メートル、たとえば、最大約１００メートル以上の受信可能範囲を有してよい。リンク１１６は、約６０Ｇｈｚの周波数で、および／または少なくとも毎秒１ギガビット（ｇｂｉｔ／ｓ）、たとえば少なくとも５ｇｂｉｔ／ｓのレートで動作するＷｉＧｉｇリンクを含んでよい。または、リンク１１６は、約２．４ギガヘルツ（ＧＨｚ）もしくは５ＧＨｚの周波数で、および／または少なくとも９０ｍｂｉｔ／ｓ、たとえば少なくとも３６０ｍｂｉｔ／ｓのレートで動作するＷｉＦｉリンクを含んでよい。または、リンク１１６は、３０から３００ＧＨＺの周波数で、および／または少なくとも１Ｇｂｉｔ／ｓのレートで動作するｍｍｗａｖｅリンクを含んでよい。
【００２１】
いくつかの例証的な実施形態では、第１の無線通信プロトコルは、比較的超高速および／または自動のセットアップ手順および／または接続手順を有してよい。たとえば、無線通信モジュール１０８および／または１２２は、たとえばＮＦＣ仕様にしたがって、自動的に、および／または非常に短時間で、たとえば、１分未満、たとえば、１０秒未満、たとえば、１秒未満でリンク１１４に接続し、および／またはリンク１１４をセットアップするよう構成されてよい。
【００２２】
一例では、無線通信モジュール１０８および／または１２２は、たとえば、ＮＦＣ仕様、ＷｉＦｉアライアンスＷｉＦｉ保護セットアップ仕様１．０ｈ版、および／またはＮＦＣフォーラム接続ハンドオーバ１．２技術仕様（２０１０年７月７日）に規定される適切なＮＦＣの「タップ・アンド・ゴー」手順、「タップ・アンド・バイ」手順、「タップ・アンド・ペイ」手順等にしたがって、リンク１１４に接続および／またはリンク１１４をセットアップし、および／または何らかの追加的な動作を行い、および／または情報交換を実行するよう構成されてよい。たとえば、無線通信モジュール１０８および／または１２２は、装置１０４のユーザーが装置１０４を装置１０２にかざし（ｔａｐ）、および／またはその他の何らかの適切な装置１０４の所定の動作を装置１０２に対して行ったときに、リンク１１４に接続および／またはリンク１１４をセットアップするよう構成されてよい。
【００２３】
さらに、無線通信モジュール１０８および／または１２２は、装置１０２との金銭的価値の取引を、たとえば安全に、装置１０４のユーザーが実行できるようにするべく構成されてよい。たとえば、無線通信モジュール１０８および／または１２２は、ＮＦＣの「タップ・アンド・ゴー」手順、「タップ・アンド・バイ」手順、「タップ・アンド・ペイ」手順等にしたがって、金銭的価値の取引を装置１０４のユーザーが実行できるようにするべく構成されてよい。たとえば、無線通信モジュール１２２は、装置１０４のユーザーが装置１０４を装置１０２にかざし（ｔａｐ）、および／またはその他の何らかの適切な装置１０４の所定の動作を装置１０２に対して行ったときに、無線通信モジュール１０８との金銭的価値の取引を実行するよう構成されてよい。金銭的価値の取引は、たとえば、装置１０４から装置１０２に、適切な請求書、および／または取引を実行するのに十分なクレジットデータを転送することを含んでよい。
【００２４】
その他の実施形態では、少なくとも第１および第２の無線通信プロトコルは、たとえば、ＮＦＣおよび／またはＷｉＧｉｇ通信プロトコルに加えて、もしくはそれらに代えて、その他の何らかの適切な無線通信プロトコルを含んでよい。
【００２５】
いくつかの例証的な実施形態では、装置１０２および１０４の少なくとも一方は、たとえば、コンピュータ装置、通信装置、無線通信装置、電子装置、回路、および／またはその他の何らかの適切な装置を含んでよく、もしくは、それらの一部として含まれてよい。たとえば、装置１０２は、ＰＣ、デスクトップコンピュータ、モバイルコンピュータ、ラップトップコンピュータ、ノートブックコンピュータ、ネットブック、タブレットコンピュータ、サーバコンピュータ、ハンドヘルドコンピュータ、ハンドヘルド装置、ＰＤＡ装置、ハンドヘルドＰＤＡ装置、オンボード装置、オフボード装置、ハイブリッド装置（たとえば、携帯電話機能とＰＤＡ装置機能とが組み合わされている）、コンシューマー装置、ｅ−コマース装置、ｅ−ストア装置、ｅ−キオスク装置、ｅ−グッズおよび／またはｅ−コンテントを提供可能な装置、ＮＦＣ装置、移動体もしくは携帯型装置、非移動体もしくは非携帯型装置、携帯電話、送受話器、ＰＣＳ装置、無線通信装置を組み込んだＰＤＡ装置、移動体もしくは携帯型ＧＰＳ装置、ＤＶＢ装置、比較的小型のコンピュータ装置、非デスクトップコンピュータ、「キャリー・スモール・アンド・リブ・ラージ」（ＣＳＬＬ）装置、ウルトラモバイル装置（ＵＭＤ）、ウルトラモバイルＰＣ（ＵＭＰＣ）、モバイルインターネット装置（ＭＩＤ）、「ｏｒｉｇａｍｉ」装置もしくはコンピュータ装置、ダイナミカリー・コンポーザブル・コンピューティング（ＤＣＣ）をサポートする装置、コンテキストを意識した装置、ビデオ装置、オーディオ装置、Ａ／Ｖ装置、ＳＴＢ、ＢＤプレーヤー、ＢＤレコーダー、ＤＶＤプレーヤー、ＨＤ  ＤＶＤプレーヤー、ＤＶＤレコーダー、ＨＤ  ＤＶＤレコーダー、ＰＶＲ、ブロードキャストＨＤ受信機、ビデオ源、音源、ビデオ受信装置（ｖｉｄｅｏ  ｓｉｎｋ）、オーディオ受信装置（ａｕｄｉｏ  ｓｉｎｋ）、ステレオチューナー、ラジオ受信機、フラットパネルディスプレイ、ＰＭＰ、ＤＶＣ、デジタルオーディオプレーヤー、スピーカー、オーディオ受信機、ゲーム装置、オーディオ増幅器、データ源、データ受信装置（ｄａｔａ  ｓｉｎｋ）、ＤＳＣ、メディアプレーヤー、スマートホン、テレビ、音楽プレーヤー、ＡＰ、基地局等を含んでよく、もしくはそれらの一部として含まれてよい。
【００２６】
いくつかの例証的な実施形態では、装置１０２は、たとえば、プロセッサ１３８、入力部１３４、出力部１３６、メモリ部１３０、および格納部１３２のうち１つ以上を含んでもよい。装置１０２は、任意に、その他の適切なハードウェアコンポーネントおよび／またはソフトウェアコンポーネントを含んでよい。いくつかの実施形態では、装置１０４のコンポーネントのうち一部もしくは全部は、共通の筺体もしくはパッケージに搭載されてよく、１つ以上の有線もしくは無線のリンクを使用して相互接続もしくは動作可能に接続されてよい。別の実施形態では、装置１０２のコンポーネントは、多数のもしくは別々の装置もしくは位置に分配されてよい。
【００２７】
いくつかの例証的な実施形態では、装置１０４は、たとえば、プロセッサ１４８、入力部１４４、出力部１４６、メモリ部１４０、および格納部１４２のうち１つ以上を含んでもよい。装置１０４は、任意に、その他の適切なハードウェアコンポーネントおよび／またはソフトウェアコンポーネントを含んでよい。いくつかの実施形態では、装置１０４のコンポーネントのうち一部もしくは全部は、共通の筺体もしくはパッケージに搭載されてよく、１つ以上の有線もしくは無線のリンクを使用して相互接続もしくは動作可能に接続されてよい。別の実施形態では、装置１０４のコンポーネントは、多数のもしくは別々の装置もしくは位置に分配されてよい。
【００２８】
プロセッサ１３８および／またはプロセッサ１４８は、たとえば、中央演算装置（ＣＰＵ）、デジタルシグナルプロセッサ（ＤＳＰ）、１つ以上のプロセッサコア、シングルコアプロセッサ、デュアルコアプロセッサ、マルチコアプロセッサ、マイクロプロセッサ、ホストプロセッサ、コントローラ、複数のプロセッサもしくはコントローラ、チップ、マイクロチップ、１つ以上の回路（ｃｉｒｃｕｉｔｓ）、回路（ｃｉｒｃｕｉｔｒｙ）、ロジック部、集積回路（ＩＣ）、特定用途向けＩＣ（ＡＳＩＣ）、もしくはその他の何らかの適切なマルチパーパスもしくは特定的プロセッサもしくはコントローラを含んでよい。プロセッサ１３８は、たとえば、装置１０２のオペレーティングシステム（ＯＳ）、および／または１つ以上の適切なアプリケーションの命令を実行する。プロセッサ１４８は、たとえば、装置１０４のオペレーティングシステム（ＯＳ）、および／または１つ以上の適切なアプリケーションの命令を実行する。
【００２９】
入力部１３４および／または入力部１４４は、たとえば、キーボード、キーパッド、マウス、タッチパッド、トラックボール、スタイラス、マイク、もしくはその他の適切なポインティング装置、もしくは入力装置を含む。出力部１３６および／または出力部１４６は、たとえば、モニター、スクリーン、陰極線管（ＣＲＴ）ディスプレイ部、液晶表示（ＬＣＤ）ディスプレイ部、プラズマディスプレイ部、１つ以上の音声スピーカーもしくはイヤホン、もしくはその他の適切な出力装置を含む。
【００３０】
メモリ部１３０および／またはメモリ部１４０は、たとえば、ランダムアクセスメモリ（ＲＡＭ）、読み出し専用メモリ（ＲＯＭ）、ダイナミックＲＡＭ（ＤＲＡＭ）、シンクロナスＤＲＡＭ（ＳＤ−ＲＡＭ）、フラッシュメモリ、揮発性メモリ、不揮発性メモリ、キャッシュメモリ、バッファ、短期記憶ユニット、長期記憶ユニット、もしくはその他の適切なメモリユニットを含む。格納部１３２および／または格納部１４２は、たとえば、ハードディスクドライブ、フロッピー（登録商標）ディスクドライブ、コンパクトディスク（ＣＤ）ドライブ、ＣＤ−ＲＯＭ ドライブ、ＤＶＤドライブ、もしくはその他の適切な取り外し可能もしく取り外し不可能な格納ユニットを含む。メモリ部１３０および／または格納部１３２は、たとえば、装置１０２により処理されたデータを格納する。メモリ部１４０および／または格納部１４２は、装置１０４により処理されたデータを格納する。
【００３１】
いくつかの例証的な実施形態では、装置１０２は、たとえば以下に示すように、要求された適切なコンテント１２８を、リンク１１６を介して装置１０４に提供するよう構成されてよい。
【００３２】
本明細書で使用される「コンテント」という用語は、たとえば、ファイル、レコード等のなんらかの適切なフォーマットを有するなんらかの適切なデジタルデータおよび／または情報を示す。いくつかの実施形態では、コンテント１２８は、音声コンテント、映像コンテント、文字コンテント等を含む。たとえば、コンテント１２８は、映画、音声ファイル、音楽ファイル、ゲーム、デジタル新聞、デジタル雑誌、デジタルブック、デジタルナビゲーションマップ、電子リーフレット（ｅ−リーフレット）等を含んでよい。
【００３３】
いくつかの例証的な実施形態では、コンテント１２８は、比較的大きいデータサイズ、たとえば、少なくとも５メガバイト（ＭＢ）、たとえば、少なくとも１００ＭＢ、たとえば、少なくとも１ギガバイト（ＧＢ）のデータサイズを有してよい。一例では、コンテント１２８は、約５Ｍｂのサイズのデジタルブック、約５０ＭＢのサイズのデジタル雑誌、約２００ＭＢのサイズのデジタル音楽アルバム、約２ＧＢのサイズの動画、約１２ＧＢのサイズの高精細動画、約７００ＭＢのサイズのモバイルゲーム、約７．５ＧＢのサイズのゲーム機用ゲーム等を含んでよい。
【００３４】
いくつかの例証的な実施形態では、コンテント１２８は、装置１０２と１０４との間の金銭的取引の一部として装置のユーザーにより購入されるコンテントを含んでよい。別の実施形態では、コンテント１２８は、装置１０２から装置１０４に無料で提供されてよい。
【００３５】
一例では、装置１０２は、たとえばｅ−キオスクもしくはｅ−ストア等のｅ−コマース装置を含んでよく、もしくはそれらの一部として含まれてよい。たとえば、装置１０２は、たとえば、ガソリンスタンド、店、スーパーマーケット、博物館等の公の場もしくは私的な場に設置されてよい。装置１０４は、たとえば、スマートホン、タブレットコンピュータ、ネットブック等の移動体もしくは携帯型のユーザー装置を含んでよく、もしくはそれらの一部として含まれてよい。たとえば、コンテント１２８は、装置１０４のユーザーにより購入される、たとえば映像コンテント、音声コンテント等の適切なコンテントを含んでよい。
【００３６】
別の例では、装置１０４は、たとえば、デスクトップコンピュータ、ＰＣ、ゲーム機、多機能テレビ（多機能ＴＶ）等の非携帯型装置を含んでよく、もしくはそれらの一部として含まれてよく、および／または装置１０２は、たとえば、スマートホン、タブレットコンピュータ、ネットブック、携帯メモリ装置、メモリスティック等の移動体もしくは携帯型のユーザー装置を含んでよい。たとえば、コンテント１２８は、装置１０４により処理されるべく装置１０２から転送されるファイル、フォルダー、文書、および／または提示物を含んでよい。
【００３７】
さらに別の例では、装置１０２および１０４は、２人のユーザーに所有される２つの移動体もしくは携帯型のユーザー装置であってよい。たとえば、装置１０２および／または１０４は、スマートホン、タブレットコンピュータ、ネットブック等を含んでよい。たとえば、コンテント１２８は、装置１０２から装置１０４に転送されるファイル、フォルダー、文書、および／または提示物を含んでよい。
【００３８】
さらに別の例では、コンテント１２８は、適切なｅ−リーフレットをふくんでよい。たとえば、装置１０２は博物館、サービスセンター、医療施設、行政施設等に設置されてよい。
【００３９】
いくつかの例証的な実施形態では、リンク１１４は、たとえば、リンク１１６の受信可能範囲および／または送信速度に比べて、受信可能範囲が比較的短く、および／または送信速度が比較的遅くてよい。したがって、リンク１１４を介してコンテント１２８を転送するには、比較的長い時間、たとえばコンテント１２８を送信する間、装置１０２および１０４を比較的接近した状態に維持する必要があるかもしれない。
【００４０】
いくつかの例証的な実施形態では、装置１０２および１０４は、無線媒体を介して、ｅ−コンテント、たとえばコンテント１２８のその場での購入および／または配信を行うよう構成されてよい。たとえば、装置１０２および１０４は、たとえば以下に記載するように、リンク１１４、たとえば、ＮＦＣリンクを使用して装置１０２と１０４との間でセッションを開始し、装置１０２から装置１０４へと提供されるべき要求するコンテントの指定および／または選択をし、および／または要求コンテントに関する金銭的取引を実行するよう構成されてよい。
【００４１】
いくつかの例証的な実施形態では、装置１０２は、たとえば以下に記載するように、第２の無線通信プロトコルに関する装置１０４の機能について、および／または要求されたデータの取り扱いに関する装置１０４の機能について、リンク１１４を介して装置１０４に問い合わせてよい。
【００４２】
いくつかの例証的な実施形態では、装置１０２および１０４は、たとえば以下に記載するように、たとえばリンク１１６について装置１０２および１０４がペアリングされるようにリンク１１４を使用することにより、リンク１１４からリンク１１６にセッションを引き継ぐことが可能であってよい。
【００４３】
いくつかの例証的な実施形態では、装置１０２および１０４は、たとえば比較的短い時間内で、および／または自動的に、リンク１１６をセットアップするべくリンク１１４を使用してよい。そして、たとえば比較的短い時間内に、および／または装置１０２および１０４が、たとえばリンク１１４の範囲から出て、互いから引き離されている間に、装置１０２から装置１０４にコンテント１２８が転送されるようにするべくリンク１１６を使用してよい。
【００４４】
いくつかの例証的な実施形態では、無線通信モジュール１２２は、リンク１１４を使用して、装置１０２から装置１０２に転送されるべき要求するコンテント１２８を無線通信モジュール１１８に示してよい。たとえば、装置１０４のユーザーは、コンテント１２８の選択を示すような方法で、装置１０４を装置１０２にかざし（ｔａｐ）てよい。たとえば、装置１０２は、１つ以上のコンテント要素１２８を表すものを表示するためのディスプレイを備えてよく、装置１０４のユーザーは、たとえば、選択するコンテント１２８を表すものの上に装置１０４をかざす（ｔａｐ）ことにより、選択するコンテント要素１２８を指示してよい。
【００４５】
いつくかの例証的な実施形態では、要求に応答して、無線通信モジュール１１８は、リンク１１４を介して、セッション引継ぎメッセージを無線通信モジュール１２２に送信してよい。セッション引継ぎメッセージは、たとえば以下に詳細に記載するように、無線通信リンク１１６を規定する１つ以上のリンク関連パラメータを含んでよい。
【００４６】
いくつかの例証的な実施形態では、無線通信モジュール１２０および１２４は、リンク関連パラメータを使用することにより、リンク１１６を介してセッションを確立してよく、無線通信モジュール１２０は、リンク１１６を介して、要求されたコンテント１２８を無線通信モジュール１２４に送信してよい。
【００４７】
いくつかの例証的な実施形態では、リンク関連パラメータは、リンク１１６に使用される周波数チャネルに関する周波数チャネルパラメータ、リンク１１６を介した通信に使用される変調スキームに関する変調種類パラメータ、リンク１１６を介した通信に使用される媒体アクセス制御（ＭＡＣ）パラメータ、リンク１１６を介した通信についての１つ以上のセキュリティ設定に関するセキュリティパラメータ、リンク１１６を介した通信に使用されるビーム形成スキームに関するビーム形成パラメータ、および／または、リンク１１６に関し、および／またはリンク１１６を規定する、その他のいかなる適切なパラメータを含んでよい。
【００４８】
一例では、セッション引継ぎメッセージは、第２の無線通信プロトコルを示す欄を有してよい。たとえば、セッション引継ぎメッセージは、ＷｉＦｉプロトコルを示す第１の値、ＷｉＧｉｇプロトコルを示す第２の値等を含んでよい。セッション引継ぎメッセージは、リンク１１６に使用されるチャネルを示す欄を有してよい。たとえば、セッション引継ぎメッセージは、チャネルの中心周波数（ＣＦ）を規定する第１の値、チャネルの帯域幅を規定する第２の値、および／またはチャネルを規定するその他のいかなる値を含んでよい。セッション引継ぎメッセージは、リンク１１６を介した通信に使用される変調スキームを示す欄を有してよい。たとえば、セッション引継ぎメッセージは、コンステレーションスキームを規定する１つ以上の値、エラー訂正符号（ＥＣＣ）、たとえばリンク１１６で使用される送信アンテナおよび受信アンテナの数等の多入力多出力（ＭＩＭＯ）構成、および／もしくはその他の何らかの適切な値を含んでよい。セッション引継ぎメッセージは、リンク１１６の１つ以上のＭＡＣパラメータを示す欄を有してよい。たとえば、セッション引継ぎメッセージは、パケットサイズを規定する１つ以上の値、集合長、および／またはその他のいかなるＭＡＣパラメータを含んでよい。セッション引継ぎメッセージは、リンク１１６の１つ以上のビーム形成パラメータを示す欄を有してよい。たとえば、セッション引継ぎメッセージは、装置１０２と１０４との間のＮＦＣアンテナ面に対するモジュール１２０の１つ以上の送信アンテナのアンテナビーム指向性を規定する１つ以上のパラメータを含んでよい。セッション引継ぎメッセージは、リンク１１６を介して使用される１つ以上のセキュリティパラメータを示す欄を有してよい。たとえば、セッション引継ぎ目セージは、リンク１１６を介して安全に通信するために使用される一時的なセッションキー等の１つ以上のセッションキーを規定する１つ以上のパラメータを含んでよい。
【００４９】
いくつかの例証的な実施形態では、装置１０２は、複数の無線通信チャネルのチャネル状況、たとえば干渉レベルを監視してよい。たとえば、無線通信モジュール１２０は、たとえば、受信したチャネル干渉レベルに基づいて、その他の装置の動作を検出したことに基づいて、および／または、その他の何らかの適切な方法もしくは手順を使用することによって、複数のチャネルの干渉レベルを測定してよい。
【００５０】
いくつかの例証的な実施形態では、装置１０２は、複数のチャネルに優先順位を設けてよく、および／または、監視しているチャネル状況に基づいて、複数の無線通信チャネルから、無線通信リンク１１６に使用する無線通信チャネルを選択してよい。
【００５１】
いくつかの例証的な実施形態では、無線通信モジュール１１８は、たとえば、装置１０４に対応する１つ以上の装置構成パラメータに基づいて、リンク１１６に使用するリンク関連パラメータを決定してよい。たとえば、無線通信モジュール１１８は、リンク１１４を介して、無線通信モジュール１２２から当該１つ以上の装置構成パラメータを受信してよい。
【００５２】
いくつかの例証的な実施形態では、装置構成パラメータは、第２の無線通信プロトコルにしたがう装置１０４の通信機能を示す少なくとも１つの通信構成パラメータ、装置１０４のコンテント１２８の処理機能を示す少なくとも１つの処理構成パラメータ、および／または、コンテント１２８および／または第２の無線通信プロトコルに関する装置１０４の機能に関するその他のいかなる適切な情報を含んでよい。
【００５３】
いくつかの例証的な実施形態では、当該少なくとも１つの通信構成パラメータは、たとえば、装置１０４がＷｉＧｉｇ通信、ＷｉＦｉ通信、および／またはその他のなんらかの適切な通信種類をサポートしているかを示す、たとえば、装置１０４がサポートする第２の無線通信プロトコルの種類を規定するパラメータを含んでよい。さらに、または、代わりに、当該少なくとも１つの通信構成パラメータは、たとえば、装置１０４がサポートする通信モードおよび／または速度を規定するパラメータ、装置１０４のＭＡＣアドレス等を含んでよい。
【００５４】
いくつかの例証的な実施形態では、処理構成パラメータは、たとえば、装置１０４が格納部１４２にコンテント１２８を格納する速度等の装置１０４のバッファーリング機能、装置１０４の書き込み速度機能、たとえば出力部１４６の１つ以上の表示関連パラメータ等の装置１０４の表示機能、たとえば、格納部１４２および／またはメモリ部１４０空き領域等の装置１０４の空きメモリ領域、装置１０４の電力レベル、および／または、コンテント１２８に関する装置１０４の機能に関するその他のいかなる適切なパラメータに関連してよい。
【００５５】
いくつかの例証的な実施形態では、無線通信モジュール１１８は、装置構成パラメータに基づいて、装置１０４に送信するべき要求されたコンテント１２８の版を決定してよい。たとえば、装置１０２は、たとえば、第１の装置構成パラメータを有する装置に提供される第１の版、第２の異なる装置構成パラメータを有する装置に提供される第２の版等の、コンテント１２８の２つ以上の版を保持してよい。
【００５６】
一例では、コンテント１２８は、映画ファイルを含んでよい。映画ファイルの第１の版は、格納資源および／または処理資源に乏しい装置により処理されるのに適したものであってよく、映画ファイルの第２の版は、格納資源および／または処理資源が豊富な装置により処理されるのに適したものであってよい。たとえば、映画の第２の版は、映画の第１の版の品質に比べて良好な品質のものであってよく、たとえば、映画の第２の版は、高い処理能力、表示能力、および／または格納容量を要求する映画の高解像度（ＨＤ）版であってよい。無線通信モジュール１１８は、たとえば、装置１０４が移動体電話である場合等、装置１０４の資源が比較的乏しい場合には、装置１０４に映画の第１の版を提供してよい。無線通信モジュール１１８は、たとえば、装置１０４がタブレットコンピュータである場合等、装置１０４の資源が比較的豊富である場合には、装置１０４に映画の第２の版を提供してよい。
【００５７】
いくつかの例証的な実施形態では、装置１０２は、装置１０４のユーザーに提供したコンテント１２８に対する支払いを受け取るべく金銭的取引を行ってよい。
【００５８】
いくつかの例証的な実施形態では、無線通信モジュール１１８は、要求されたコンテント１２８に関する金銭的取引を実行するのに十分な支払いデータを、リンク１１４を介して無線通信モジュール１２２から受信してよい。
【００５９】
いくつかの例証的な実施形態では、無線通信モジュール１１８は、ＮＦＣの「タップ・アンド・ゴー」手順、「タップ・アンド・バイ」手順、「タップ・アンド・ペイ」手順等にしたがって、無線通信モジュール１２２から支払いデータを受信してよい。
【００６０】
いくつかの例証的な実施形態では、リンク関連パラメータを無線通信モジュール１２２に提供した後、および／または無線通信モジュール１２２から支払いデータを受信した後、無線通信モジュール１１８は、解放されて、別の無線通信装置と第１の無線通信プロトコルに従うリンクを介して通信できるようになってよい。
【００６１】
したがって、いくつかの例証的な実施形態では、無線通信モジュール１１８は、リンク１１６を介してコンテント１２８を送信している間の少なくとも一部の期間において、第１の無線通信プロトコルに従う別の通信リンクを介して別の装置から別の要求を受信してよい。
【００６２】
したがって、いくつかの例証的な実施形態では、装置１０２は、たとえば、効率的に、および／または比較的短い時間間隔で、比較的大容量のコンテントを多数の装置に転送する処理が可能である。たとえば、第１の装置１０４のユーザーは、第１の装置を装置１０２にかざして（ｔａｐ）、リンク１１４を介して第１のコンテントを選択してよい。装置１０２は、リンク１１６を介してセッションを確立するべく使用されるリンク関連パラメータをリンク１１４を使用して送信し、その後、リンク１１６を介して第１のコンテントを第１の装置に転送してよい。第２の装置１０４のユーザーは、たとえば、装置１０２が第１のコンテントを第１の装置に転送している間に、第２の装置を装置１０２にかざして（ｔａｐ）、リンク１１４を介して第２のコンテントを選択してよい。
【００６３】
いくつかの例証的な実施形態では、無線通信モジュール１１８および無線通信モジュール１２２は、リンク１１４を介した通信に、１つ以上の適切なセッションキーを使用してよい。無線通信モジュール１１８および無線通信モジュール１２２は、それぞれ無線通信モジュール１２０および無線通信モジュール１２４にセッションキーを転送してよく、無線通信モジュール１２０および１２４は、リンク１１６を介した通信に当該セッションキーを使用してよい。
【００６４】
いくつかの例証的な実施形態に係る、無線でコンテントを提供する方法を概略的に示す図２を今から参照する。いくつかの実施形態では、図２の方法の１つ以上の動作は、たとえばシステム１００（図１）等のシステム、および／または、たとえば装置１０２および／または装置１０４（図１）等の、たとえばＮＦＣプロトコル等の第１の無線通信プロトコルに従う第１のリンクを介して、および、たとえばＷｉＦｉ、ＷｉＧｉｇ等の第２の無線通信プロトコルに従う第２のリンクを介して通信する１つ以上の無線通信装置により実行されてよい。
【００６５】
ブロック２０２に示されるように、方法は、第２の無線通信プロトコルに従う無線媒体（「高速無線媒体」）の複数の無線通信チャネルのチャネル状況を第１の無線通信装置で監視する段階を備えてよい。たとえば、装置１０２（図１）は、リンク１１６（図１）として適切な複数の無線通信チャネルのチャネル状況を監視してよい。
【００６６】
ブロック２０４に示されるように、方法は、第１の無線装置において、第１のリンクを介して第２の無線装置から要求の表示を受信する段階を備えてよい。たとえば、装置１０４（図１）のユーザーは、たとえば、スマートポスターＮＦＣリーダーを使用するか、もしくはその他の何らかのＮＦＣコンテント選択方法を用いて装置１０４（図１）を装置１０２にかざす（ｔａｐ）ことにより、コンテント１２８（図１）を選択してよい。
【００６７】
ブロック２０６に示されるように、方法は、第１のリンクを介して第１の装置と第２の装置との間で情報を交換する段階を備えてよい。たとえば、装置１０２（図１）は、リンク１１６（図１）を介した通信に使用される装置１０２（図１）のＭＡＣアドレスを装置１０２（図１）に提供してよい。装置１０２（図１）は、リンク１１６（図１）を介した通信に使用される装置１０４（図１）のＭＡＣアドレスを装置１０４（図１）から受信してよい。装置１０２（図１）は、装置１０４（図１）から、装置１０４（図１）に対応する１つ以上の装置構成パラメータを受信してよい。装置構成パラメータは、たとえば、装置１０４（図１）がＷｉＦｉ通信、ＷｉＧｉｇ通信に、および／またはその他の何らかの通信プロトコルをサポートしているか等を示す、装置１０４（図１）がサポートする１つ以上の通信プロトコルの種類の表示、装置１０４（図１）の空きメモリ領域および／または持続する書き込み速度の表示、および／または、たとえば、装置１０４（図１）のオーディオおよび／またはビデオ機能等の装置１０４（図１）の再生機能の表示を含んでよい。
【００６８】
ブロック２０８に示されるように、方法は、要求したコンテントを第２の無線装置が受信および／または取り扱うことが可能であるかを、たとえば装置構成パラメータに基づいて判断する段階を備えてよい。たとえば、装置１０２（図１）は、要求したコンテント１２８（図１）を装置１０４（図１）が受信および／または取り扱うことが可能であるかを、たとえば装置構成パラメータに基づいて判断してよい。
【００６９】
ブロック２１０に示されるように、方法は、たとえば、要求したコンテントを第２の無線装置が受信および／または取り扱うことができないと判断したなら、要求されたコンテントの転送を取りやめる段階を備えてよい。たとえば、装置１０２（図１）は、要求されたコンテント１２８（図１）の転送を取りやめてよい。装置１０２（図１）は、要求されたコンテントを提供しない旨の通知を、リンク１１４（図１）を介して装置１０４（図１）に送信してよい。さらに、または、代わりに、装置１０２（図１）は、装置１０４（図１）のユーザーに失敗通知を表示してよい。
【００７０】
ブロック２１２に示されるように、方法は、第２の装置に提供すべき要求されたコンテントの版を、たとえば装置構成パラメータに基づいて選択する段階を備えてよい。たとえば、装置１０２（図１）は、要求されたコンテント１２８（図１）の２つ以上の版を保持してよく、装置１０２（図１）は、要求されたコンテント１２８の装置１０４（図１）に送信するべき版を、たとえば上記したように、装置構成パラメータに基づいて決定してよい。
【００７１】
いくつかの例証的な実施形態では、方法は、たとえば、第２の装置のユーザーから要求されたコンテントに対する支払いを受けるべく、要求されたコンテントに関する金銭的値の取引を実行する段階を備えてよい。
【００７２】
ブロック２１４に示されるように、方法は、第２の装置から第１の装置に、要求したコンテントに関する金銭的取引を実行するのに十分な支払いデータを、第１のリンクを介して転送する段階を備えてよい。たとえば、装置１０２および１０４（図１）は、ＮＦＣリンクを介して、たとえば何らかの適切なＮＦＣ支払いプロトコルにしたがって、適切な支払い処理、たとえば適切な安全な支払い処理を実行してよい。
【００７３】
ブロック２１６に示されるように、方法は、第１および第２の装置の間のセッションを、第１のリンクから第２のリンクに引き継ぐ段階を備えてよい。たとえば、装置１０２（図１）は、装置１０４（図１）に、リンク１１４（図１）を介してセッション引継ぎメッセージを送信してよい。セッション引継ぎメッセージは、たとえば上記したように、無線通信リンク１１６（図１）を規定する１つ以上のリンク関連パラメータを含んでよい。
【００７４】
いくつかの例証的な実施形態では、第１および第２の装置の間のセッションを第１のリンクから第２のリンクに引き継ぐ段階は、第１のリンクから第１および第２の装置の間の１つ以上のセッションキーを転送して、当該セッションキーを第２のリンクから第１および第２の装置の間の通信キーとして使用する段階を含む。
【００７５】
ブロック２１８に示されるように、方法は、要求されたコンテントを、第１の装置から第２の装置に第２のリンクを介して転送する段階を備えてよい。たとえば、装置１０２（図１）は、要求されたコンテント１２８（図１）を、上記したようにセッション引継ぎメッセージにしたがって確立されたリンク１１６（図１）を介して装置１０４（図１）に転送してよい。
【００７６】
ブロック２２０に示されるように、方法は、第２の装置のユーザーに、要求されたコンテントの転送状況の表示を提供する段階を備えてよい。たとえば、装置１０４（図１）は、ダウンロードバーもしくはその他の何らかの適切な表示を表示してよい。
【００７７】
いくつかの例証的な実施形態では、第１の装置は、たとえば要求されたデータが第２のリンクを介して転送されているとき、解放されて別の無線通信装置とＮＦＣリンクを介して通信できるようになってよい。したがって、第１の装置は、要求されたコンテントを第２の装置に送信している間の少なくとも一部の期間において、ＮＦＣリンクを介して別の装置から別の要求を受信してよい。
【００７８】
ブロック２２２および２２４に示されるように、方法は、要求されたコンテントの第２の装置への転送が成功したことを確認する段階を備えてよい。
【００７９】
ブロック２２６に示されるように、方法は、たとえば、要求されたコンテントの転送が成功しなかった場合、要求されたコンテントに関する金銭的取引を取りやめる段階を備えてよい。たとえば、装置１０２（図１）は、要求されたコンテント１２８（図１）に関して装置１０４（図１）から受信した支払いデータに関するいかなる金銭的取引も取りやめてよい。装置１０２（図１）は、要求されたコンテントが提供されない旨の通知をリンク１１６（図１）を介して装置１０４（図１）に送信してよい。さらに、もしくは、代わりに、装置１０２（図１）は、装置１０４（図１）のユーザーに失敗通知を表示してよい。
【００８０】
ブロック２２８に示されるように、方法は、たとえば、要求されたコンテントの転送が成功した場合、要求されたコンテントに関する金銭的取引を許可する段階を備えてよい。たとえば、装置１０２（図１）は、要求されたコンテント１２８（図１）に関して装置１０４（図１）から受信した支払いデータに関する金銭的取引を許可および／または実行してよい。装置１０２（図１）は、要求されたコンテントを転送した旨の通知を、リンク１１６（図１）を介して装置１０４（図１）に送信してよい。さらに、もしくは、代わりに、装置１０２（図１）は、たとえば「転送完了」等の成功通知を表示し、および／または装置１０４（図１）のユーザーに適切な購入証明を提供してよい。
【００８１】
いくつかの実施形態は、揮発性メモリ、不揮発性メモリ、取り外し可能もしく取り外し不可能なメモリ、消去可能もしくは消去不可能なメモリ、書き込み可能もしくは書き換え可能なメモリ等の、データ格納が可能な１種類以上のコンピュータ読み出し可能な格納媒体を含む物品を使用して実施してよい。たとえば、機械読み出し可能な格納媒体としては、ランダムアクセスメモリ（ＲＡＭ）、ダイナミックＲＡＭ（ＤＲＡＭ）、ダブルデータレートＤＲＡＭ（ＤＤＲ−ＤＲＡＭ）、シンクロナスＤＲＡＭ（ＳＤＲＡＭ）、スタティックＲＡＭ（ＳＲＡＭ）、読み出し専用メモリ（ＲＯＭ）、プログラマブルＲＯＭ（ＰＲＯＭ）、消去可能プログラマブルＲＯＭ（ＥＰＲＯＭ）、電気的消去可能プログラマブルＲＯＭ（ＥＥＰＲＯＭ）、コンパクトディスクＲＯＭ（ＣＤ−ＲＯＭ）、記録可能コンパクトディスク（ＣＤ−Ｒ）、書き換え可能コンパクトディスク（ＣＲ−ＲＷ）、フラッシュメモリ（たとえば、ＮＯＲもしくはＮＡＮＤフラッシュメモリ）、内容参照可能メモリ（ＣＡＭ）、ポリマーメモリ、相変化メモリ、強誘電体メモリ、シリコン−酸化物−窒化物−酸化物−シリコン（ＳＯＮＯＳ）メモリ、ディスク、フロッピー（登録商標）ディスク、ハードドライブ、光ディスク、磁気ディスク、カード、磁気カード、光カード、テープ、カセット等が挙げられる。コンピュータ読み出し可能な格納媒体は、遠隔地のコンピュータから要求元のコンピュータへと、搬送波もしくはその他の伝播媒体に重畳されたコンピュータプログラムを、たとえばモデム、無線、もしくはネットワーク接続等の通信リンクを介してダウンロードもしくは転送することに関わるいかなる適切な媒体であってもよい。
【００８２】
いくつかの実施形態では、物品は、機械により実行されたときに、機械に、本明細書に記載された方法、処理、および／または動作を実行させる命令、データ、および／またはコードの形態のロジックを含んでよい。機械は、たとえば、いかなる適切な処理プラットフォーム、コンピュータプラットフォーム、コンピュータ装置、処理装置、コンピュータシステム、処理システム、コンピュータ、プロセッサ等であってよく、ハードウェア、ソフトウェア、ファームウェア等の何らかの適切な組み合わせを用いて実施されてよい。
【００８３】
いくつかの実施形態では、ロジックは、ソフトウェア、ソフトウェアモジュール、アプリケーション、プログラム、サブルーチン、命令、命令セット、コンピュータコード、ワード、値、符号等を含んでよく、もしくは、これらとして実装されてよい。命令は、ソースコード、コンパイルされたコード、インタープリットされたコード、実行可能コード、静的コード、動的コード等の任意の適切な種類のコードであってよい。命令は、プロセッサに所定の機能を実行するよう命令するべく、所定のコンピュータ言語、様式、もしくは構文にしたがって実装されてよい。命令は、Ｃ、Ｃ＋＋、Ｊａｖａ（登録商標）、ＢＡＳＩＣ、Ｍａｔｌａｂ、Ｐａｓｃａｌ、ＶｉｓｕａｌＢＡＳＩＣ、アセンブリ言語、機械コード等の、任意の適切な高水準、低水準、オブジェクト指向、ビジュアル、コンパイルされた、および／またはインタープリットされたプログラミング言語を使用して実装されてよい。
【００８４】
１つ以上の実施形態に関連して本明細書に記載された機能、動作、コンポーネント、および／または特性は、１つ以上のその他の実施形態に関連して本明細書に記載された１つ以上のその他の機能、動作、コンポーネント、および／または特性と組み合わされてよく、もしくは組み合わせて使用されてよく、または、その逆であってもよい。
【００８５】
本発明の所定の特性を図示し、本明細書に記載したが、当業者には多くの改変、置換、変更、均等物等が考えられるであろう。したがって、添付の特許請求の範囲は、これら全ての改変および変更を、本発明の真の趣旨に合致するものとして、範囲に含むと理解するべきである。
【図１】
0005676507.tif 000002
【図２】
0005676507.tif 000003